(57)【要約】【課題】室外側から施錠状態の目視確認ができないようにすることによる防犯性能の維持を図りながら、ドア表面側から切断具で鍵を切断しなければならないような場合には、容易に且つ迅速に切断を実行できるようにする。【解決手段】閉めた状態のドア本体３の鍵設置部３ａ側の端面とその端面が対向する固定側の鍵受け部１ａとの間の隙間Ｓをドア表面側から目隠しするカバープレート部３Ａが、ドア本体３の鍵設置部３ａ側の辺ｈにおける全長、又は、ほぼ全長にわたってドア表面部Ｐに設けられているドアにおいて、カバープレート部３Ａの表面に、隙間Ｓの位置を示す目印部Ｍが設けられている。【選択図】図３
2007186985.tif 000002
【特許請求の範囲】
【請求項１】
閉めた状態のドア本体の鍵設置部側の端面とその端面が対向する固定側の鍵受け部との間の隙間をドア表面側から目隠しするカバープレート部が、前記ドア本体の鍵設置部側の辺における全長、又は、ほぼ全長にわたってドア表面部に設けられているドアであって、
前記カバープレート部の表面に、前記隙間の位置を示す目印部が設けられているドア。
【請求項２】
前記目印部は、凹みを備えて構成されている請求項１に記載のドア。
【請求項３】
前記目印部は、着色部を備えて構成されている請求項１又は２に記載のドア。
【請求項４】
前記目印部は、他の部分より薄肉に形成してある請求項１〜３の何れか一項に記載のドア。
【請求項５】
前記目印部は、他の部分より低強度の材料で形成してある請求項１〜４の何れか一項に記載のドア。
【請求項６】
前記鍵設置部は、前記ドア本体の遊端部側に設けてあり、前記目印部は、前記ドア本体の遊端部辺全長の内、鍵設置部近傍位置に設けられている請求項１〜５の何れか一項に記載のドア。
【請求項７】
前記カバープレート部は、ドア本体に対して着脱自在に設けられている請求項１〜６の何れか一項に記載のドア。
【請求項８】
前記目印部の幅寸法は、前記隙間の幅寸法以下に形成してある請求項１〜７の何れか一項に記載のドア。
【発明の詳細な説明】
【技術分野】
【０００１】
本発明は、閉めた状態のドア本体の鍵設置部側の端面とその端面が対向する固定側の鍵受け部（例えば、ドア枠）との間の隙間をドア表面側（例えば、玄関ドアの場合であれば、屋外側を意味し、キーを使用して施錠操作する側を意味する）から目隠しするカバープレート部が、前記ドア本体の鍵設置部側の辺における全長、又は、ほぼ全長にわたってドア表面部に設けられているドアに関する。
【背景技術】
【０００２】
従来、この種のドアとしては、図１２に示すように、ドア本体３に、その端面から出退操作自在な状態に施錠用のデッドボルト３ｂが設けられ、対向するドア枠１には、前記デッドボルト３ｂを突出させることで両者が嵌合して施錠できる鍵受け部１ａが設けられている。
そして、通常の使用状態においては、防犯上の観点から、ドア表面側から施錠状態が目視確認できないことが好ましく、その為の具体的な構成としては、ドア本体３の鍵設置部３ａ側の辺ｈにおいて、ドア本体３とドア枠１との隙間Ｓを目隠しして、前記デッドボルト３ｂの出退状況がドア表面側から見ることができないようにするカバープレート部３Ａが、ドア本体３の前記辺の全長にわたって形成されているものがあった。
前記カバープレート部３Ａは、前記ドア本体の表面プレートをドア端面よりドア枠１側へ延出させることでドア本体と一体に構成されており、ドア本体３との境界はドア表面側から判らないように形成されていた。
尚、この様な従来技術に関しては、当業者の間で広く知られているものであるが、該当するドアに関して詳しく言及した特許文献などは見あたらないので、先行技術文献は示していない。
【発明の開示】
【発明が解決しようとする課題】
【０００３】
上述した従来のドアによれば、ドア本体とドア枠との隙間は前記カバープレート部によって目隠しされているから、通常の使用状態においては、ドア表面側からデッドボルトの位置、及び、その出退状態を知ることができず、例えば、留守宅の空き巣犯罪を未然に防ぐのに一役かうことが出来る。
しかし、例えば、室内で火災やその他の緊急事態等が発生し、施錠されたドアを室外側から開けて室内に入って救出しなければならないような場合、前記デッドボルトを室外側から切断具（例えばエンジンカッター）で切断すれば、容易にドアを開けることができるが、従来のドアにおいては、前述の通り、カバープレート部がドア本体と境目の無い状態に一体に形成されているから、その裏側のデッドボルトの位置や、ドア本体とドア枠との隙間の位置すら正確に認識できず、デッドボルトのみを速やかに切断することは非常に困難であった。
即ち、デッドボルトの近傍のドア本体やドア枠等も含めて手当たり次第に切断しないと、結果的にデッドボルトを切断することができず、迅速なドア開放が困難であるといった問題点がある。
【０００４】
従って、本発明の目的は、上記問題点を解消し、室外側から施錠状態の目視確認ができないようにすることによる防犯性能の維持を図りながら、ドア表面側から切断具で鍵を切断しなければならないような場合には、容易に且つ迅速に切断を実行できるようにするドアを提供するところにある。
【課題を解決するための手段】
【０００５】
本発明の第１の特徴構成は、閉めた状態のドア本体の鍵設置部側の端面とその端面が対向する固定側の鍵受け部との間の隙間をドア表面側から目隠しするカバープレート部が、前記ドア本体の鍵設置部側の辺における全長、又は、ほぼ全長にわたってドア表面部に設けられているドアにおいて、前記カバープレート部の表面に、前記隙間の位置を示す目印部が設けられているところにある。
【０００６】
本発明の第１の特徴構成によれば、前記カバープレート部の表面に、前記隙間の位置を示す目印部が設けられているから、前記隙間に位置しているデッドボルトを切断具で切断するような場合、ドア表面側の前記目印部に切断刃を位置合わせして、前記隙間に沿って切断具を移動させるだけで、正確に且つ簡単に、しかも迅速にデッドボルトを切断してドアを開けることができるようになる。従って、室内での緊急事態に対して、迅速に対処することが可能となる。
また、切断具は、正確にデッドボルトの切断を行えるようになり、切断位置近傍のドア枠や、ドア本体を無闇に切断具で傷つけることを防止でき、デッドボルト等の一部の部品を交換するだけで、またドアとして使用できるようになるから経済性も高い。
尚、前記目印部とは、後述する凹みや着色部等の手段で形成することの他、文字やマークや刻みで表示したり、段部で構成したり、着色に替えて視認できる手段として、例えば、サンドブラスト等によって質感が変化するように設けた目印等、さまざまな形態を採用することが可能である。
【０００７】
本発明の第２の特徴構成は、前記目印部は、凹みを備えて構成されているところにある。
【０００８】
本発明の第２の特徴構成によれば、本発明の第１の特徴構成による上述の作用効果を叶えることができるのに加えて、切断具を使用する際、切断刃を凹みに嵌め合わせるだけで、凹みの底に切断刃が誘導され、且つ、その状態から位置ずれし難いから、正確に目印部に切断刃を位置合わせすることが可能になり、その結果、デッドボルトの切断を、より正確に、且つ、迅速に実施することが可能となる。
【０００９】
本発明の第３の特徴構成は、前記目印部は、着色部を備えて構成されているところにある。
【００１０】
本発明の第３の特徴構成によれば、本発明の第１又は２の特徴構成による上述の作用効果を叶えることができるのに加えて、目印部を着色によって明確に表すことができ、その着色部による明示に合わせて切断具をセットすれば、正確にデッドボルトの切断を実施することが可能となる。
また、着色部は、例えば、ドア本体が形成された後から、ペイントや塗装等による簡単な工程によって形成することができるから、経済的に目印部を形成することが可能となる。
更には、着色部は、ドアと前記隙間との現場位置関係に対応するように、前記カバープレート部上に後加工で形成できるから、一定寸法のカバープレートを備えたドア本体を使用しながら、着色部の位置のみを異ならせるだけで、ドアと前記隙間との位置関係が異なる複数種の出入り口に、それぞれ対応させることが可能となる。その結果、ドアの兼用化を叶えることができ、部品点数の減少と大量生産等の作用によってコストダウンを図ることが可能となる。
【００１１】
本発明の第４の特徴構成は、前記目印部は、他の部分より薄肉に形成してあるところにある。
【００１２】
本発明の第４の特徴構成によれば、本発明の第１〜３の何れかの特徴構成による上述の作用効果を叶えることができるのに加えて、切断具によるデッドボルトの切断の際、カバープレートの目印部も当然の事ながら切断するわけであるが、その部分が薄肉に形成してあることで、切断作業をより迅速に実施することが可能となる。
また、切断具によるカバープレートの切断に伴っては、切断抵抗が大きい部分より小さい部分の方へ切断刃は逃げる性質があるから、他の部分より薄肉に形成してある目印部への切断刃の誘導作用を利用することができ、より正確な位置の切断を行うことが可能となる。
【００１３】
本発明の第５の特徴構成は、前記目印部は、他の部分より低強度の材料で形成してあるところにある。
【００１４】
本発明の第５の特徴構成によれば、本発明の第１〜４の何れかの特徴構成による上述の作用効果を叶えることができるのに加えて、切断具によるデッドボルトの切断の際、カバープレートの目印部も当然の事ながら切断するわけであるが、その部分が低強度の材料で形成してあることで、切断作業をより迅速に実施することが可能となる。
また、切断具によるカバープレートの切断に伴っては、切断抵抗が大きい部分より小さい部分の方へ切断刃は逃げる性質があるから、他の部分より低強度の材料で形成してある目印部への切断刃の誘導作用を利用することができ、より正確な位置の切断を行うことが可能となる。
【００１５】
本発明の第６の特徴構成は、前記鍵設置部は、前記ドア本体の遊端部側に設けてあり、前記目印部は、前記ドア本体の遊端部辺全長の内、鍵設置部近傍位置に設けられているところにある。
【００１６】
本発明の第６の特徴構成によれば、本発明の第１〜５の何れかの特徴構成による上述の作用効果を叶えることができるのに加えて、前記目印部に従ってデッドボルトの切断を行う際、ドア本体の遊端部辺の全長に目印部を設けてあるのに比べて、鍵設置部近傍位置に目印部を設けてある方が、切断を開始する位置を、切断目標のデッドボルト位置により近くに絞り易く、それに伴って迅速にデッドボルトの切断を終えることが可能となる。
【００１７】
本発明の第７の特徴構成は、前記カバープレート部は、ドア本体に対して着脱自在に設けられているところにある。
【００１８】
本発明の第７の特徴構成によれば、本発明の第１〜６の何れかの特徴構成による上述の作用効果を叶えることができるのに加えて、カバープレート部をドア本体から取り外してメンテナンスしたり、新しいものに付け替えたりすることが可能となる。
その結果、何らかの理由（例えば、火災やその他の緊急事態の発生）で、カバープレート部、及び、デッドボルトを切断具で切断して、ドアを開けたような場合、前記カバープレート部とデッドボルトとを新しいものに部品交換するだけで、ドア本体は、元々のものをそのまま使用することが可能となる。
従って、コストアップの防止を図ることが可能となる。
また、カバープレート部として、異なる意匠のものを複数製作しておき、ニーズに合わせて表情の異なるカバープレート部をドア本体に取り付けることで、商品バリエーションが豊富で意匠性の高いドアを経済的に提供することが可能となる。
【００１９】
本発明の第８の特徴構成は、前記目印部の幅寸法は、前記隙間の幅寸法以下に形成してあるところにある。
【００２０】
本発明の第８の特徴構成によれば、本発明の第１〜７の何れかの特徴構成による上述の作用効果を叶えることができるのに加えて、切断刃によって目印部の幅内を切断する時、切断刃が、前記隙間に面したドア本体の端面や、ドア枠部分に接触して傷つけることを防止し易くなり、ドア本体やドア枠を再使用することができる確率を向上させることができ、コストアップの抑制を図ることが可能となる。
また、切断刃によるカバープレート部の切断時に、ドア本体の端面やドア枠部分に刃が接触しない分、切断抵抗が少なくなって、よりスピーディーにデッドボルトの切断を実施することが可能となる。
【発明を実施するための最良の形態】
【００２１】
以下に本発明の実施の形態を図面に基づいて説明する。尚、図面において従来例と同一の符号で表示した部分は、同一又は相当の部分を示している。
【００２２】
〔第１実施形態〕
図１〜３は、本発明のドアＤの一実施形態を示すものであり、ドアＤ１は、例えば、高層住宅における玄関ドアとして設置されている。
前記ドアＤ１は、図に示すような矩形板形状のドア本体３で構成されており、玄関躯体に固定されたドア枠１に対して、左右一方の端部が、縦軸芯のヒンジ２を介して揺動開閉（外開き）自在に取り付けられている（図２、図３参照）。そして、左右他方の端部となるドア遊端部ｆには鍵設置部３ａが設けてあり、鍵設置部３ａでの施錠操作によって、ドア枠１の鍵受け部１ａにデッドボルト３ｂが係入して施錠される。
【００２３】
前記ドア枠１は、ドアＤ１の外周を取り囲む状態に形成された一対の縦枠部１Ａと一対の横枠部１Ｂとからなる矩形枠で構成されている。そして、ドア枠１の室外側表面は、閉めた状態の前記ドア本体３の表面とほぼ面一（つらいち）となるように寸法設定されている。また、ドア枠１の内周部には、全周にわたって戸当たり部１ｂが設けてあり、この戸当たり部１ｂには、合成樹脂製の戸当たりシール材１ｃが設けられ、ドアを閉めた際の衝撃の緩和や、ドアとの間のシールを図っている。
また、両縦枠部１Ａの内、ドア遊端側の縦枠部１Ａには、前述の鍵受け部１ａや、ラッチ受け部１ｄが形成されている。
尚、ドア遊端部ｆ側の縦枠部１Ａにおける室外側表面の内、後述するドアのカバープレート部３Ａが被さる部分は、ドア表面より室内側へ窪んだ段部１ｅとして構成されている。
【００２４】
前記ドア本体３は、図２に示すように、下地フレーム４とハニカムコア５と、それらを覆う化粧材６とを備えて構成されている。そして、左右一方の端部は、上述の通り、前記ヒンジ２でドア枠１に支持されている。
また、ドア遊端部ｆには、上下ほぼ中間部にドアノブ３ｃが設けられ、そのドアノブ３ｃの上下に、それぞれ前記鍵設置部３ａが設けられている。
ドアノブ３ｃを開閉操作するに伴って、ドア遊端部ｆの端面からラッチ３ｄが出退し、前記ドア枠１のラッチ受け部１ｄに嵌入するように構成されている（図３参照）。
また、鍵設置部３ａを施錠操作するに伴って、ドア遊端部ｆに納まっていた前記デッドボルト３ｂがドア遊端部ｆ端面から突出し、前記ドア枠１の鍵受け部１ａに係入するように構成されている。そして、鍵設置部３ａを施錠解除操作するに伴って、前記デッドボルト３ｂは、前記鍵受け部１ａから抜けてドア遊端部ｆ内に戻る。
【００２５】
また、ドア本体３のドア遊端部ｆ側の辺ｈには、ドア表面部Ｐから表面に沿って延出する状態にカバープレート部３Ａが、前記辺ｈの全長（又は、ほぼ全長）にわたって設けられている。
このカバープレート部３Ａは、図３に示すように、ドア本体３を閉めた状態においては、前記ドア枠１の前記段部１ｅ上に重なり、ドア遊端部ｆ端面とその端面が対向するドア枠１の鍵受け部１ａとの間の隙間Ｓをドア表面側から目隠しすることができ、防犯効果を高めている。
そして、カバープレート部３Ａの表面には、前記隙間Ｓの位置を示す目印部Ｍが設けられている。
当該実施形態においては、前記目印部Ｍは、前記ドア遊端部ｆ側の辺ｈの全長の内、上下両鍵設置部３ａにわたって且つその近傍を含む範囲に設けられた凹みＭ１で構成されている。
具体的には、前記下地フレーム４の一部が、図２に示すように、カバープレート部３Ａの下地となっており、その下地フレーム４の外周を覆う状態に化粧鋼板からなる第１化粧材６Ａと、ステンレス板からなる第２化粧材６Ｂとを重ねて張設してあり、前記目印部Ｍに相当する箇所について、前記第二化粧材６Ｂのみをスリット状に切り欠いてある。この切欠き幅寸法Ｗ１は、切断具（例えば、エンジンカッター等）の切断刃７の厚み寸法Ｗ２以上で、且つ、前記隙間Ｓの幅寸法Ｗ０以下に設定してある。この切欠きによって生じた凹みＭ１によって、前記目印部Ｍが構成されている。
尚、前記第１化粧材６Ａは、ドア表面部Ｐの全幅にわたって設けてある一方、前記第２化粧材６Ｂは、ドア表面部Ｐの全幅の内、ドア遊端部ｆ側の一部の幅範囲にのみ設けられており、特に、第２化粧材６Ｂは、第１化粧材６Ａ上に接着材で着脱自在に取り付けられている。
【００２６】
本実施形態のドアによれば、例えば、施錠された室内で火災が発生し、消防隊がドアを開けて室内に進入する必要があるような緊急の場合、前記凹みＭ１に、エンジンカッター等の切断具の切断刃７を合わせて切断を開始すれば（図１参照）、その奥に位置しているデッドボルト３ｂにターゲットを絞って、正確に且つ迅速に切断することができ、短時間の内にドアを開けてスピーディーに救出作業を進めることが可能となる。
また、カバープレート部３Ａの切断に際しては、前記凹みＭ１が、切断刃７のずれ止め効果を発揮することに加えて、第２化粧材６Ｂを切り欠いて形成してあるからその部分が他の部分より薄肉になり、切断時間の更なる短縮を図る効果がある。そして、目的のデッドボルト３ｂにターゲットを絞った切断ができれば、ドア本体３の端面やドア枠１の縦枠部１Ａに傷を付けることを回避でき、前記化粧材６と、デッドボルト３ｂのみを新規なものに付け替えるだけでドアを復旧することができる。
【００２７】
〔第２実施形態〕
図４、図５は、本発明のドアＤの二つ目の実施形態を示すものである。尚、このドアＤ２について、先の実施形態と異なる構成を主に説明し、同様の説明の重複を避けるものであるから、特に、記載が無い構成に関しては、先の実施形態に準ずるものである。
【００２８】
当該ドアＤ２においては、目印部Ｍが、先の実施形態で説明したスリットからなる前記凹みＭ１に替えて、図に示すように、第２化粧材６Ｂをドア上面視において山部８と谷部９とが交互に位置する形状に構成し、前記谷部９からなる凹みＭ２によって目印部Ｍを形成してある。
そして、前記第２化粧材６Ｂの山部８と谷部９とは、カバープレート部３Ａの上下全長にわたって形成されている。また、第２化粧材６Ｂには、前記目印部Ｍとなる凹みＭ２とは別の位置にも、装飾的に、同様の凹凸を形成してあり、意匠性の高いドアが構成されている。
【００２９】
〔第３実施形態〕
図６は、本発明のドアＤの三つ目の実施形態を示すものである。尚、このドアＤ３について、先の実施形態と異なる構成を主に説明し、同様の説明の重複を避けるものであるから、特に、記載が無い構成に関しては、先の実施形態に準ずるものである。
【００３０】
当該ドアＤ２においては、目印部Ｍを、先の実施形態で説明したスリットや谷部からなる前記凹みＭ１で構成してあるものに替えて、図６に示すように、着色部Ｍ３をもって目印部Ｍを構成してある。
具体的には、目印部Ｍを境として左右の部分の色を変えることで、それらの境界線が目印部となる。そして、化粧材６としては、前記第１化粧材６Ａのみを使用してあり、例えば、ドア枠１を「黒色」に着色する一方、第１化粧材６Ａの表面色を「灰色」に着色し、第１化粧材６Ａにおける目印位置よりドア遊端部ｆ側の部分を、ドア枠１と同様の「黒色」に着色し、この第１化粧材６Ａ上の「灰色」と「黒色」との境界の着色部Ｍ３が、前記隙間Ｓの位置を示すように構成されている。
【００３１】
また、着色部Ｍ３によって目印部Ｍを構成する場合は、上述のように、色の境界で示す対応に替えて、目印線を周囲の色と異なる色彩に着色して構成するものであってもよい。
【００３２】
本実施形態のドアによれば、前記隙間Ｓの位置に合わせて、目印部Ｍをマーキングすることが可能であり、現場対応性が高い。
【００３３】
〔別実施形態〕
以下に他の実施の形態を説明する。
【００３４】
〈１〉  当該ドアは、先の実施形態で説明した高層住宅の玄関ドアに限るものではなく、例えば、玄関以外のドア、及び、高層住宅以外の建物に用いられるドアであってもよい。また、ドアの形式は、一枚ドアに限るものではなく、例えば、両開きドアであってもよく、それらを総称してドアと言う。
両開きドアの場合の一例を、図７、図８に示す。このドアＤ４は、片袖付きドアとして構成してあり、ドア枠１の一方の縦枠部１Ａに取り付けられたドア本体３と、他方の縦枠部１Ａに取り付けられた袖ドア１２とが、互いに揺動開閉自在な状態に設置されて構成されている。ドア本体３に関しては、先の実施形態で説明したものと同様のものを採用することができる。また、袖ドア１２は、閉めた状態で先の実施形態で説明したドア枠１と同様の働きを行えるように構成されている。その一例として、袖ドア１２には、ドア枠１の鍵受け部１ａに相当する鍵受け部１２ａや、ドア枠１の戸当たり部１ｂに相当する戸当たり部１２ｂや、ドア枠１のラッチ受け部１ｄに相当するラッチ受け部１２ｄが設けられており、戸当たり部１２ｂには、戸当たりシール材１２ｃも設けられている。
従って、前記カバープレート部３Ａによって目隠しする隙間Ｓは、図８に示すように、閉めた状態のドア本体３の鍵設置部３ａ側の端面と、その端面が対向する袖ドア１２の鍵受け部１２ａとの間の隙間に形成されている。即ち、前記隙間Ｓとは、ドア本体３とドア枠１との間に形成されることに限らず、この両開きドアのように、ドア本体３と袖ドア１２との間に形成されることもある。更には、両開き形式でも、ドア枠の中央に支柱を備えた構造の場合にはドア本体と支柱との間に前記隙間Ｓが形成されることもあり、要するに、本発明に係わる前記隙間Ｓとは、閉めた状態のドア本体３の鍵設置部３ａ側の端面と、その端面が対向する固定側の鍵受け部との間の隙間を指す。
〈２〉  前記目印部Ｍは、先の実施形態で説明した第２化粧材６Ｂに形成したスリット状の切欠きからなる凹みＭ１や、山部８と谷部９とからなる凹凸形状による凹みＭ２や、色分けによる境界線や線そのものを周りと異なる色で描いた着色部Ｍ３で構成するものに限らず、例えば、凹みによる目印部Ｍの場合、図９（イ）、（ロ）、図１０（ハ）、（ニ）に示すように、カバープレート部３Ａに、奥窄み形状に傾斜した周壁１０ａを備えた溝１０を形成し、この溝１０によって目印部Ｍを構成するものであってもよい。この形態によれば、前記周壁１０ａによって前記切断刃７を溝底へ誘導する作用が期待でき、より正確な位置でデッドボルト３ｂを切断することが可能となる。
また、カバープレート部３Ａに、図１１（ホ）、（ヘ）に示すように段部１１を形成し、この段部１１によって目印部Ｍを構成するものであってもよい。段部１１の場合は、段部１１の隅部に切断刃を宛って切断することで、位置ずれせずに正確な位置でデッドボルトを切断することが可能となる。
一方、目印部Ｍを設けてあるカバープレート部３Ａの構造に関しては、先の実施形態で図示したように下地フレーム４の延出基板部分の表裏両面を化粧材の金属板で挟む状態に形成したものに限るものではなく、例えば、図１０、図１１に示すように、単独の金属板、若しくは、二枚の金属板を折り曲げ形成してカバープレート部３Ａを形成するものであってもよい。
因みに、ドアは、開閉方向を右開き・左開きの何れに設定されていてもよい。
〈３〉  前記目印部Ｍは、ドア本体３の上下全長に設けるものに限らず、一部に設けるものであってもよい。但し、鍵設置部３ａの設けられている位置、又は、その近傍に設けてあることが好ましい。また、鍵設置部３ａは、各ドアによって一定位置ではないことがあり、それぞれの配置状態によって対応する位置が異なる。
〈４〉  前記目印部Ｍは、他の部分より薄肉にすることで切断時間の短縮と、切断位置の精度向上を図れることを先の実施形態で説明したが、この薄肉に替えて、例えば、目印部Ｍの部分を、他の部分より低強度の材料（例えば、低強度金属や合成樹脂等）で構成するものであっても同様の効果を期待することができる。更には、薄肉と低強度材料との両方を採用するものであってもよい。
【００３５】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【図面の簡単な説明】
【００３６】
【図１】ドアの設置状況を示す斜視図
【図２】ドアの設置状況を示す上面視断面図
【図３】ドアの設置状況を示す正面図
【図４】別実施形態のドアの設置状況を示す正面図
【図５】別実施形態のドアの設置状況を示す要部上面視断面図
【図６】別実施形態のドアの設置状況を示す正面図
【図７】別実施形態のドアの設置状況を示す正面図
【図８】別実施形態のドアの設置状況を示す要部上面視断面図
【図９】別実施形態のドアの設置状況を示す要部上面視断面図
【図１０】別実施形態のドアの設置状況を示す要部上面視断面図
【図１１】別実施形態のドアの設置状況を示す要部上面視断面図
【図１２】従来例のドアの設置状況を示す正面図
【符号の説明】
【００３７】
１ａ    鍵受け部
３      ドア本体
３Ａ    カバープレート部
３ａ    鍵設置部
ｈ      辺
Ｍ      目印部
Ｍ１    凹み
Ｍ２    凹み
Ｍ３    着色部
Ｐ      ドア表面部
Ｓ      隙間
Ｗ０    隙間の幅寸法
Ｗ１    切欠き幅寸法（目印部の幅寸法に相当）
【図１】
2007186985.tif 000003
【図２】
2007186985.tif 000004
【図３】
2007186985.tif 000005
【図４】
2007186985.tif 000006
【図５】
2007186985.tif 000007
【図６】
2007186985.tif 000008
【図７】
2007186985.tif 000009
【図８】
2007186985.tif 000010
【図９】
2007186985.tif 000011
【図１０】
2007186985.tif 000012
【図１１】
2007186985.tif 000013
【図１２】
2007186985.tif 000014